(57)【要約】【課題】取付作業の効率を向上させることができるエレベータかご内手摺を得る。【解決手段】巾木１に固定される支持装置２と、支持装置２に設けられ、壁１００に沿って延びる手摺装置３とを備え、手摺装置３は、左壁１０２に沿って配置される左手摺部分３１と、右壁１０３に沿って配置される右手摺部分３２と、後壁１０５に沿って配置される後手摺部分３３とを有し、支持装置２は、左手摺部分３１におけるかご出入口１０４側の端部を支持する第１の支持部材２１と、右手摺部分３２におけるかご出入口１０４側の端部を支持する第２の支持部材２２と、左手摺部分３１における後壁１０５側の端部および後手摺部分３３における左壁１０２側の端部を支持する第３の支持部材２３と、右手摺部分３２における後壁１０５側の端部および後手摺部分３３における右壁１０３側の端部を支持する第４の支持部材２４とを有している。【選択図】図１
2015051838.tif 000002
【特許請求の範囲】
【請求項１】
巾木に固定される支持装置と、
前記支持装置に設けられ、かご室の壁に沿って延びる手摺装置と
を備えたことを特徴とするエレベータかご内手摺。
【請求項２】
前記手摺装置は、前記かご室の第１の側壁に沿って配置される第１の手摺部分と、前記第１の側壁に対向する第２の側壁に沿って配置される第２の手摺部分と、かご出入口に対向する後壁に沿って配置される第３の手摺部分とを有し、
前記支持装置は、前記第１の手摺部分における前記かご出入口側の端部を支持する第１の支持部材と、前記第２の手摺部分における前記かご出入口側の端部を支持する第２の支持部材と、前記第１の手摺部分における前記後壁側の端部を支持するとともに、前記第３の手摺部分における前記第１の側壁側の端部を支持する第３の支持部材と、前記第２の手摺部分における前記後壁側の端部を支持するとともに、前記第３の手摺部分における前記第２の側壁側の端部を支持する第４の支持部材とを有していることを特徴とする請求項１に記載のエレベータかご内手摺。
【請求項３】
前記支持装置は、前記第１の支持部材の上部と前記第２の支持部材の上部とが互いに近づく方向に移動することを規制する規制部材をさらに有していることを特徴とする請求項２に記載のエレベータかご内手摺。
【請求項４】
前記規制部材は、一対の出入口柱の中の前記第１の側壁側の前記出入口柱と前記第１の支持部材との間に設けられた第１の補助部材と、前記第１の支持部材と前記第１の補助部材とに渡って設けられた第１の連結部材と、一対の前記出入口柱の中の前記第２の側壁側の前記出入口柱と前記第２の支持部材との間に設けられた第２の補助部材と、前記第２の支持部材と前記第２の補助部材とに渡って設けられた第２の連結部材とを含んでいることを特徴とする請求項３に記載のエレベータかご内手摺。
【請求項５】
前記規制部材は、前記第１の支持部材から上方に延びた第１の補助部材と、前記第２の支持部材から上方に延びた第２の補助部材と、前記第１の補助部材と前記第２の補助部材とに渡って設けられた連結部材とを含んでいることを特徴とする請求項３に記載のエレベータかご内手摺。
【請求項６】
前記規制部材は、一対の出入口柱の中の前記第１の側壁側の前記出入口柱と前記第１の支持部材とに渡って設けられた第１の連結部材と、一対の前記出入口柱の中の前記第２の側壁側の前記出入口柱と前記第２の支持部材とに渡って設けられた第２の連結部材とを含んでいることを特徴とする請求項３に記載のエレベータかご内手摺。
【請求項７】
前記かご室の床に設けられ、前記支持装置を支持する緩衝装置をさらに備えたことを特徴とする請求項１から請求項６までの何れか一項に記載のエレベータかご内手摺。
【発明の詳細な説明】
【技術分野】
【０００１】
この発明は、エレベータのかご室に取り付けられるエレベータかご内手摺に関する。
【背景技術】
【０００２】
従来、かご室の壁の裏面に設けられる裏板と、かご室の壁および裏板を貫通するスタットボルトと、かご室の外側でスタットボルトに螺着されるナットと、かご室の内側でスタットボルトに支持される化粧パイプと、化粧パイプに設けられた手摺とを備えたエレベータかご内手摺が知られている（例えば、特許文献１参照）。
【先行技術文献】
【特許文献】
【０００３】
【特許文献１】実開昭５９−１９５１６８号公報
【発明の概要】
【発明が解決しようとする課題】
【０００４】
しかしながら、かご室の壁の裏面に裏板を設置した状態で、かご室の内側からスタットボルトをかご室の壁および裏板に貫通させるので、かご室の外側と内側とに作業者を配置しなければならず、取付作業の効率が悪いという問題点があった。
【０００５】
この発明は、取付作業の効率を向上させることができるエレベータかご内手摺を提供するものである。
【課題を解決するための手段】
【０００６】
この発明に係るエレベータかご内手摺は、巾木に固定される支持装置と、支持装置に設けられ、かご室の壁に沿って延びる手摺装置とを備えている。
【発明の効果】
【０００７】
この発明に係るエレベータかご内手摺によれば、巾木に固定される支持装置と、支持装置に設けられ、かご室の壁に沿って延びる手摺装置とを備えているので、作業者は、かご室の内側だけで取付作業を行うことができる。これにより、エレベータかご内手摺の取付作業の効率を向上させることができる。
【図面の簡単な説明】
【０００８】
【図１】この発明の実施の形態１に係るエレベータかごを示す斜視図である。
【図２】図１のエレベータかごを示す平面図である。
【図３】図１の巾木および緩衝装置を示す斜視図である。
【図４】この発明の実施の形態２に係るエレベータかごを示す斜視図である。
【図５】この発明の実施の形態３に係るエレベータかごを示す斜視図である。
【図６】図５のエレベータかごの要部を示す平面図である。
【図７】図５のエレベータかごの要部を示す背面斜視図である。
【発明を実施するための形態】
【０００９】
実施の形態１．
図１はこの発明の実施の形態１に係るエレベータかごを示す斜視図、図２は図１のエレベータかごを示す平面図である。図において、エレベータかご内手摺は、巾木１に固定される支持装置２と、支持装置２に設けられ、かご室の壁１００に沿って延びる手摺装置３と、かご室の床１０１に設けられ、支持装置２を支持する緩衝装置４とを備えている。
【００１０】
かご室の壁１００は、左壁（第１の側壁）１０２と、左壁１０２に対向する右壁（第２の側壁）１０３と、かご出入口１０４に対向する後壁１０５と、左壁１０２とかご出入口１０４との間に設けられた左袖壁１０６と、右壁１０３とかご出入口１０４との間に設けられた右袖壁１０７を有している。
【００１１】
巾木１は、左壁１０２の下方に設けられる左巾木部分１１と、右壁１０３の下方に設けられる右巾木部分１２と、後壁１０５の下方に設けられる後巾木部分１３と、左袖壁１０６の下方に設けられる左袖巾木部分１４と、右袖壁１０７の下方に設けられる右袖巾木部分１５とを有している。左袖巾木部分１４には、左壁１０２との間に左袖巾木部分１４が挟まれるように左出入口柱（出入口柱）１０８が配置されている。右袖巾木部分１５には、右壁１０３との間に右袖巾木部分１５が挟まれるように右出入口柱（出入口柱）１０９が配置されている。
【００１２】
手摺装置３は、左壁１０２に沿って配置される左手摺部分（第１の手摺部分）３１と、右壁１０３に沿って配置される右手摺部分（第２の手摺部分）３２と、後壁１０５に沿って配置される後手摺部分（第３の手摺部分）３３とを有している。左手摺部分３１および右手摺部分３２は、かご室の奥行方向に延びて配置されている。後手摺部分３３は、かご室の間口方向に延びて配置されている。
【００１３】
支持装置２は、左手摺部分３１におけるかご出入口１０４側の端部を支持する第１の支持部材２１と、右手摺部分３２におけるかご出入口１０４側の端部を支持する第２の支持部材２２と、左手摺部分３１における後壁１０５側の端部を支持するとともに、後手摺部分３３における左壁１０２側の端部を支持する第３の支持部材２３と、右手摺部分３２における後壁１０５側の端部を支持するとともに、後手摺部分３３における右壁１０３側の端部を支持する第４の支持部材２４とを有している。第１の支持部材２１、第２の支持部材２２、第３の支持部材２３および第４の支持部材２４は、高さ方向に延びて配置されている。
【００１４】
左手摺部分３１、右手摺部分３２および後手摺部分３３のそれぞれの両端部の外周面には、ねじ溝（図示せず）が形成されている。
【００１５】
第１の支持部材２１には、左手摺部分３１の一端部が挿入される左手摺部分用取付孔（図示せず）が形成されている。第１の支持部材２１の左手摺部分用取付孔の内周面には、左手摺部分３１の一端部と螺着するねじ溝（図示せず）が形成されている。左手摺部分３１の一端部が第１の支持部材２１の左手摺部分用取付孔に螺着することによって、左手摺部分３１は、第１の支持部材２１に連結される。
【００１６】
第２の支持部材２２には、右手摺部分３２の一端部が挿入される右手摺部分用取付孔（図示せず）が形成されている。第２の支持部材２２の右手摺部分用取付孔の内周面には、右手摺部分３２の一端部と螺着するねじ溝（図示せず）が形成されている。右手摺部分３２の一端部が第２の支持部材２２の右手摺部分用取付孔に螺着することによって、右手摺部分３２は、第２の支持部材２２に連結される。
【００１７】
第３の支持部材２３には、左手摺部分３１の他端部が挿入される左手摺部分用取付孔（図示せず）および後手摺部分３３の一端部が挿入される後手摺部分用取付孔（図示せず）が形成されている。第３の支持部材２３の左手摺部分用取付孔および後手摺部分用取付孔の内周面には、左手摺部分３１の他端部および後手摺部分３３の一端部と螺着するねじ溝（図示せず）が形成されている。左手摺部分３１の他端部および後手摺部分３３の一端部が第３の支持部材２３の左手摺部分用取付孔および後手摺部分用取付孔に螺着することによって、左手摺部分３１および後手摺部分３３は、第３の支持部材２３に連結される。
【００１８】
第４の支持部材２４には、右手摺部分３２の他端部が挿入される右手摺部分用取付孔（図示せず）および後手摺部分３３の他端部が挿入される後手摺部分用取付孔（図示せず）が形成されている。第４の支持部材２４の右手摺部分用取付孔および後手摺部分用取付孔の内周面には、右手摺部分３２の他端部および後手摺部分３３の他端部と螺着するねじ溝（図示せず）が形成されている。右手摺部分３２の他端部および後手摺部分３３の他端部が第４の支持部材２４の右手摺部分用取付孔および後手摺部分用取付孔に螺着することによって、右手摺部分３２および後手摺部分３３は、第４の支持部材２４に連結される。
【００１９】
また、支持装置２は、第１の支持部材２１の長手方向中間部と第３の支持部材２３の長手方向中間部とを連結する左手摺補強部材２５と、第２の支持部材２２の長手方向中間部と第４の支持部材２４の長手方向中間部とを連結する右手摺補強部材２６と、第３の支持部材２３の長手方向中間部と第４の支持部材２４の長手方向中間部とを連結する後手摺補強部材２７とを有している。
【００２０】
左手摺補強部材２５、右手摺補強部材２６および後手摺補強部材２７のそれぞれの両端部の外周面には、ねじ溝（図示せず）が形成されている。
【００２１】
第１の支持部材２１には、左手摺補強部材２５の一端部が挿入される左手摺補強部材用取付孔（図示せず）が形成されている。第１の支持部材２１の左手摺補強部材用取付孔の内周面には、左手摺補強部材２５の一端部と螺着するねじ溝（図示せず）が形成されている。左手摺補強部材２５の一端部が第１の支持部材２１の左手摺補強部材用取付孔に螺着することによって、左手摺補強部材２５は、第１の支持部材２１に連結される。
【００２２】
第２の支持部材２２には、右手摺補強部材２６の一端部が挿入される右手摺補強部材用取付孔（図示せず）が形成されている。第２の支持部材２２の右手摺補強部材用取付孔の内周面には、右手摺補強部材２６の一端部と螺着するねじ溝（図示せず）が形成されている。右手摺補強部材２６の一端部が第２の支持部材２２の右手摺補強部材用取付孔に螺着することによって、右手摺補強部材２６は、第２の支持部材２２に連結される。
【００２３】
第３の支持部材２３には、左手摺補強部材２５の他端部が挿入される左手摺補強部材用取付孔（図示せず）および後手摺補強部材２７の一端部が挿入される後手摺補強部材用取付孔（図示せず）が形成されている。第３の支持部材２３の左手摺補強部材用取付孔および後手摺補強部材用取付孔の内周面には、左手摺補強部材２５の他端部および後手摺補強部材２７の一端部と螺着するねじ溝（図示せず）が形成されている。左手摺補強部材２５の他端部および後手摺補強部材２７の一端部が第３の支持部材２３の左手摺補強部材用取付孔および後手摺補強部材用取付孔に螺着することによって、左手摺補強部材２５および後手摺補強部材２７は、第３の支持部材２３に連結される。
【００２４】
第４の支持部材２４には、右手摺補強部材２６の他端部が挿入される右手摺補強部材用取付孔（図示せず）および後手摺補強部材２７の他端部が挿入される後手摺補強部材用取付孔（図示せず）が形成されている。第４の支持部材２４の右手摺補強部材用取付孔および後手摺補強部材用取付孔の内周面には、右手摺補強部材２６の他端部および後手摺補強部材２７の他端部と螺着するねじ溝（図示せず）が形成されている。右手摺補強部材２６の他端部および後手摺補強部材２７の他端部が第４の支持部材２４の右手摺補強部材用取付孔および後手摺補強部材用取付孔に螺着することによって、右手摺補強部材２６および後手摺補強部材２７は、第４の支持部材２４に連結される。
【００２５】
また、支持装置２は、第１の支持部材２１の上部と第２の支持部材２２の上部とが互いに近づく方向に移動することを規制する規制部材２８Ａをさらに有している。
【００２６】
規制部材２８Ａは、第１の支持部材２１と左出入口柱１０８（図２）との間に設けられた第１の補助部材２８１と、第１の支持部材２１と第１の補助部材２８１とに渡って設けられた第１の連結部材２８２と、第２の支持部材２２と右出入口柱１０９（図２）との間に設けられた第２の補助部材２８３と、第２の支持部材２２と第２の補助部材２８３とに渡って設けられた第２の連結部材２８４とを含んでいる。第１の補助部材２８１および第２の補助部材２８３は、高さ方向に延びて配置されている。
【００２７】
第１の連結部材２８２および第２の連結部材２８４のそれぞれの両端部の外周面には、ねじ溝（図示せず）が形成されている。
【００２８】
第１の支持部材２１には、第１の連結部材２８２の一端部が挿入される第１の連結部材用取付孔（図示せず）が形成されている。第１の支持部材２１における第１の連結部材用取付孔の内周面には、第１の連結部材２８２の一端部と螺着するねじ溝（図示せず）が形成されている。第１の連結部材２８２の一端部が第１の支持部材２１における第１の連結部材用取付孔に螺着することによって、第１の連結部材２８２は、第１の支持部材２１に連結される。
【００２９】
第１の補助部材２８１には、第１の連結部材２８２の他端部が挿入される第１の連結部材用取付孔（図示せず）が形成されている。第１の補助部材２８１における第１の連結部材用取付孔の内周面には、第１の連結部材２８２の一端部と螺着するねじ溝（図示せず）が形成されている。第１の連結部材２８２の一端部が第１の補助部材２８１における第１の連結部材用取付孔に螺着することによって、第１の連結部材２８２は、第１の補助部材２８１に連結される。
【００３０】
第２の支持部材２２には、第２の連結部材２８４の一端部が挿入される第２の連結部材用取付孔（図示せず）が形成されている。第２の支持部材２２における第２の連結部材用取付孔の内周面には、第２の連結部材２８４の一端部と螺着するねじ溝（図示せず）が形成されている。第２の連結部材２８４の一端部が第２の支持部材２２における第２の連結部材用取付孔に螺着することによって、第２の連結部材２８４は、第２の支持部材２２に連結される。
【００３１】
第２の補助部材２８３には、第２の連結部材２８４の他端部が挿入される第２の連結部材用取付孔（図示せず）が形成されている。第２の補助部材２８３における第２の連結部材用取付孔の内周面には、第２の連結部材２８４の一端部と螺着するねじ溝（図示せず）が形成されている。第２の連結部材２８４の一端部が第２の補助部材２８３における第２の連結部材用取付孔に螺着することによって、第２の連結部材２８４は、第２の補助部材２８３に連結される。
【００３２】
図３は図１の巾木１および緩衝装置４を示す斜視図である。図３では、第１の支持部材２１、第２の支持部材２２、第３の支持部材２３、第４の支持部材２４、第１の補助部材２８１および第２の補助部材２８３のそれぞれの下端部を示している。緩衝装置４は、第１の支持部材２１の下端部に取り付けられた緩衝部材４１と、第２の支持部材２２の下端部に取り付けられた緩衝部材４２と、第３の支持部材２３の下端部に取り付けられた緩衝部材４３と、第４の支持部材２４の下端部に取り付けられた緩衝部材４４と、第１の補助部材２８１の下端部に取り付けられた緩衝部材４５と、第２の補助部材２８３の下端部に取り付けられた緩衝部材４６とを有している。緩衝部材４１は、第１の支持部材２１と床１０１との間に配置されている。緩衝部材４２は、第２の支持部材２２と床１０１との間に配置されている。緩衝部材４３は、第３の支持部材２３と床１０１との間に配置されている。緩衝部材４４は、第４の支持部材２４と床１０１との間に配置されている。緩衝部材４５は、第１の補助部材２８１と床１０１との間に配置されている。緩衝部材４６は、第２の補助部材２８３と床１０１との間に配置されている。
【００３３】
次に、エレベータかご内手摺の取付手順について説明する。まず、第１の支持部材２１、第２の支持部材２２、第３の支持部材２３、第４の支持部材２４、第１の補助部材２８１および第２の補助部材２８３のそれぞれに、緩衝装置４を取り付けて、左巾木部分１１、右巾木部分１２、後巾木部分１３、左袖巾木部分１４、右袖巾木部分１５に、第１の支持部材２１、第２の支持部材２２、第３の支持部材２３、第４の支持部材２４、第１の補助部材２８１および第２の補助部材２８３を固定する。固定方法としては、ボルトを用いたり、溶接を用いたりすることができる。
【００３４】
次に、第１の支持部材２１と第３の支持部材２３とに渡って、左手摺部分３１および左手摺補強部材２５を取り付け、第２の支持部材２２と第４の支持部材２４とに渡って、右手摺部分３２および右手摺補強部材２６を取り付け、第３の支持部材２３と第４の支持部材２４とに渡って、後手摺部分３３および後手摺補強部材２７を取り付け、第１の支持部材２１と第１の補助部材２８１とに渡って、第１の連結部材２８２を取り付け、第２の支持部材２２と第２の補助部材２８３とに渡って、第２の連結部材２８４を取り付ける。以上により、エレベータかご内手摺の取付手順が終了する。
【００３５】
以上説明したように、この発明の実施の形態１に係るエレベータかご内手摺によれば、巾木１に固定される支持装置２と、支持装置２に設けられ、かご室の壁１００に沿って延びる手摺装置３とを備えているので、作業者は、かご室の内側だけで取付作業を行うことができる。これにより、エレベータかご内手摺の取付作業の効率を向上させることができる。また、かご室の壁１００を加工する作業が省略されるので、エレベータかご内手摺の取付作業の効率を向上させることができる。
【００３６】
また、手摺装置３は、かご室の左壁１０２に沿って配置される左手摺部分３１と、右壁１０３に沿って配置される右手摺部分３２と、後壁１０５に沿って配置される後手摺部分３３とを有し、支持装置２は、左手摺部分３１におけるかご出入口１０４側の端部を支持する第１の支持部材２１と、右手摺部分３２におけるかご出入口１０４側の端部を支持する第２の支持部材２２と、左手摺部分３１における後壁１０５側の端部を支持するとともに、後手摺部分３３における左壁１０２側の端部を支持する第３の支持部材２３と、右手摺部分における後壁１０５側の端部を支持するとともに、後手摺部分３３における右壁１０３側の端部を支持する第４の支持部材２４とを有しているので、後手摺部分３３がかご室の内側に移動することを抑制することができる。
【００３７】
また、支持装置２は、第１の支持部材２１の上部と第２の支持部材２２の上部とが互いに近づく方向に移動することを規制する規制部材２８Ａをさらに有しているので、左手摺部分３１および右手摺部分３２がかご室の内側に移動することを抑制することができる。
【００３８】
また、規制部材２８Ａは、左出入口柱１０８と第１の支持部材２１との間に設けられた第１の補助部材２８１と、第１の支持部材２１と第１の補助部材２８１とに渡って設けられた第１の連結部材２８２と、右出入口柱１０９と第２の支持部材２２との間に設けられた第２の補助部材２８３と、第２の支持部材２２と第２の補助部材２８３とに渡って設けられた第２の連結部材２８４とを含んでいるので、簡単な構成で、第１の支持部材２１の上部と第２の支持部材２２の上部とが互いに近づく方向に移動することを規制することができる。
【００３９】
なお、上記実施の形態１では、第１の支持部材２１と左手摺部分３１、左手摺補強部材２５および第１の連結部材２８２とが螺着によって接続され、第２の支持部材２２と右手摺部分３２、右手摺補強部材２６および第２の連結部材２８４とが螺着によって接続され、第３の支持部材２３と左手摺部分３１、左手摺補強部材２５、後手摺部分３３および後手摺補強部材２７とが螺着によって接続され、第４の支持部材２４と右手摺部分３２、右手摺補強部材２６、後手摺部分３３および後手摺補強部材２７とが螺着によって接続される構成について説明したが、これに限らず、その他の構成であってもよい。
【００４０】
実施の形態２．
図４はこの発明の実施の形態２に係るエレベータかごを示す斜視図である。図において、規制部材２８Ｂは、第１の支持部材２１から上方に延びた第１の補助部材２８５と、第２の支持部材２２から上方に延びた第２の補助部材２８６と、第１の補助部材２８５と第２の補助部材２８６とに渡って設けられた連結部材２８７とを含んでいる。連結部材２８７は、かご出入口１０４の上部よりも上方に配置されている。
【００４１】
第１の補助部材２８５の一端部、第２の補助部材２８６の一端部および連結部材２８７の両端部の外周面には、ねじ溝（図示せず）が形成されている。
【００４２】
第１の支持部材２１の上端部には、第１の補助部材２８５の一端部が挿入される第１の補助部材用取付孔（図示せず）が形成されている。第１の支持部材２１における第１の補助部材用取付孔の内周面には、第１の補助部材２８５の一端部と螺着するねじ溝（図示せず）が形成されている。第１の補助部材２８５の一端部が第１の支持部材２１における第１の補助部材用取付孔に螺着することによって、第１の補助部材２８５は、第１の支持部材２１に連結される。
【００４３】
第２の支持部材２２の上端部には、第２の補助部材２８６の一端部が挿入される第２の補助部材用取付孔（図示せず）が形成されている。第２の支持部材２２における第２の補助部材用取付孔の内周面には、第２の補助部材２８６の一端部と螺着するねじ溝（図示せず）が形成されている。第２の補助部材２８６の一端部が第２の支持部材２２における第２の補助部材用取付孔に螺着することによって、第２の補助部材２８６は、第２の支持部材２２に連結される。
【００４４】
第１の補助部材２８５の他端部には、連結部材２８７の一端部が挿入される連結部材用取付孔（図示せず）が形成されている。第１の補助部材２８５の連結部材用取付孔の内周面には、連結部材２８７の一端部と螺着するねじ溝（図示せず）が形成されている。連結部材２８７の一端部が第１の補助部材２８５の連結部材用取付孔に螺着することによって、連結部材２８７は、第１の補助部材２８５に連結される。
【００４５】
第２の補助部材２８６の他端部には、連結部材２８７の他端部が挿入される連結部材用取付孔（図示せず）が形成されている。第２の補助部材２８６の連結部材用取付孔の内周面には、連結部材２８７の他端部と螺着するねじ溝（図示せず）が形成されている。連結部材２８７の他端部が第２の補助部材２８６の連結部材用取付孔と螺着することによって、連結部材２８７は、第２の補助部材２８６に連結される。その他の構成は、実施の形態１と同様である。
【００４６】
以上説明したように、この発明の実施の形態２に係るエレベータかご内手摺によれば、規制部材２８Ｂは、第１の支持部材２１から上方に延びた第１の補助部材２８５と、第２の支持部材２２から上方に延びた第２の補助部材２８６と、第１の補助部材２８５と第２の補助部材２８６とに渡って設けられた連結部材２８７とを含んでいるので、簡単な構成で、第１の支持部材２１の上部と第２の支持部材２２の上部とが互いに近づく方向に移動することを規制することができる。
【００４７】
なお、上記実施の形態２では、第１の支持部材２１と第１の補助部材２８５とが螺着によって接続され、第２の支持部材２２と第２の補助部材２８６とが螺着によって接続され、連結部材２８７と第１の補助部材２８５および第２の補助部材２８６とが螺着によって接続される構成について説明したが、これに限らず、その他の構成であってもよい。
【００４８】
実施の形態３．
図５はこの発明の実施の形態３に係るエレベータかごを示す斜視図、図６は図５のエレベータかごの要部を示す平面図、図７は図５のエレベータかごの要部を示す背面斜視図である。図において、規制部材２８Ｃは、左出入口柱１０８と第１の支持部材２１とに渡って設けられた第１の連結板（第１の連結部材）２８８と、右出入口柱１０９と第２の支持部材２２とに渡って設けられた第２の連結板（第２の連結部材）２８９とを含んでいる。その他の構成は、実施の形態１と同様である。
【００４９】
以上説明したように、この発明の実施の形態３に係るエレベータかご内手摺によれば、規制部材２８Ｃは、左出入口柱１０８と第１の支持部材２１とに渡って設けられた第１の連結板２８８と、右出入口柱１０９と第２の支持部材２２とに渡って設けられた第２の連結板２８９とを含んでいるので、簡単な構成で、第１の支持部材２１の上部と第２の支持部材２２の上部とが互いに近づく方向に移動することを規制することができる。
【符号の説明】
【００５０】
１  巾木、２  支持装置、３  手摺装置、４  緩衝装置、１１  左巾木部分、１２  右巾木部分、１３  後巾木部分、１４  左袖巾木部分、１５  右袖巾木部分、２１  第１の支持部材、２２  第２の支持部材、２３  第３の支持部材、２４  第４の支持部材、２５  左手摺補強部材、２６  右手摺補強部材、２７  後手摺補強部材、２８Ａ、２８Ｂ、２８Ｃ  規制部材、３１  左手摺部分（第１の手摺部分）、３２  右手摺部分（第２の手摺部分）、３３  後手摺部分（第３の手摺部分）、４１、４２、４３、４４、４５、４６  緩衝部材、１００  壁、１０１  床、１０２  左壁（第１の側壁）、１０３  右壁（第２の側壁）、１０４  かご出入口、１０５  後壁、１０６  左袖壁、１０７  右袖壁、１０８  左出入口柱、１０９  右出入口柱、２８１  第１の補助部材、２８２  第１の連結部材、２８３  第２の補助部材、２８４  第２の連結部材、２８５  第１の補助部材、２８６  第２の補助部材、２８７  連結部材、２８８  第１の連結板（第１の連結部材）、２８９  第２の連結板（第２の連結部材）。
【図１】
2015051838.tif 000003
【図２】
2015051838.tif 000004
【図３】
2015051838.tif 000005
【図４】
2015051838.tif 000006
【図５】
2015051838.tif 000007
【図６】
2015051838.tif 000008
【図７】
2015051838.tif 000009